(57)【特許請求の範囲】
【請求項１】
誘電体層と、該誘電体層に積層され、配列形成された複数の電極を有する２層の電極層とからなる静電容量式のセンサ基板を備え、表面を操作体で摺動させることにより表面上の操作体の位置を検出して座標入力を行う座標入力手段を備えた座標入力装置であって、前記センサ基板は、凸球面状又は凹球面状又は多面体状に形成した操作面となる第１センサ部と、前記第１センサ部の周囲に広がって、前記第１センサ部に連続する平面型操作面となる第２センサ部とからなることを特徴とする座標入力装置。
【請求項２】
前記第２センサ部から延出された延長部分に制御回路が設けられ、該制御回路と前記電極層とが配線により接続されてなることを特徴とする請求項１に記載の座標入力装置。
【請求項３】
前記センサ基板が２枚の基板を積層して形成され、それら２枚の基板は、それらの中央部に凸曲面部あるいは凹曲面部または多面体部を有し、それらの周辺部に平面状の部分を有してなり、前記各センサ基板に平面視平行なストライプ状の電極が複数形成され、それらの基板どうしが絶縁状態で重ねられて各電極が交差する方向に延在されてなることを特徴とする請求項１または２に記載の座標入力装置。
【請求項４】
請求項１〜３のいずれかに記載の座標入力装置を備えたことを特徴とする電子機器。
【発明の詳細な説明】
【０００１】
【発明の属する技術分野】
本発明は、コンピュータやゲーム機の表示画面上で、カーソル又はキャラクタの移動や機能選択等に用いられる座標入力装置及びこれを備えた電子機器に関するものである。
【０００２】
【従来の技術】
図１４は、タッチパッドと称される座標入力装置をキーボード装置の手前側に備えたノート型パーソナルコンピュータの斜視構成図である。このコンピュータ２００は、本体部２０１と、この本体部２０１の奥側端部に設けられたヒンジ部を介して接続された表示部２０３とを備えて概略構成され、本体部２０１の上面側に、キーボード装置２０４と、その手前側に搭載された四角形の平面形状のタッチパッド（座標入力装置）２０５と、タッチパッド２０５の手前側に設けられた操作ボタン２０６とが設けられている。タッチパッド２０５は、その上面で手指等の操作体を摺動させることにより、表示部２０３に表示されたカーソルなどを操作できるようになっている。
【０００３】
【発明が解決しようとする課題】
上記のタッチパッド２０５によれば、キーボード装置２０４のホームポジションから手を大きく動かすことなく、カーソル移動などの座標入力が行えるとともに、その形状が平面形状とされているため、コンピュータ２００の薄型化、省スペース化を実現することができる。
しかしながら、上記平面形状のタッチパッド２０５では、手指をその上面で移動させることにより座標入力を行うことから、マウス等の入力装置を用いた場合に比して使用者にカーソル移動の感覚が伝わりにくく、操作感に乏しいという問題があった。
また、図１４に示すタッチパッド２０５の代わりに、回転ボール装置（トラックボール装置）を内蔵したノート型パーソナルコンピュータも知られている。このようなコンピュータでは、回転ボール装置のボールを回転させることによりカーソル移動を行うため、使用者は、手指に伝わるボールの回転によりカーソル移動の感覚を容易に知ることができ、快適に座標入力を行うことができる。しかしながら、回転ボール装置を内蔵するためには、コンピュータ本体にボール直径に相当する相応のスペースを必要とするため、コンピュータの薄型化が困難であるという問題があった。
【０００４】
本発明は、上記の課題を解決するためになされたものであって、座標入力動作を快適に行うことができ、操作感に優れた座標入力装置、及びこれを備えた電子機器を提供することを目的とする。
【０００５】
【課題を解決するための手段】
上記の目的を達成するために、本発明は以下の構成を採用した。本発明に係る座標入力装置は、誘電体層と、該誘電体層に積層され、配列形成された複数の電極を有する２層の電極層とからなる静電容量式のセンサ基板を備え、表面を操作体で摺動させることにより表面上の操作体の位置を検出して座標入力を行う座標入力手段を備えた座標入力装置であって、前記センサ基板は、凸球面状又は凹球面状又は多面体状に形成した操作面となる第１センサ部と、前記第１センサ部の周囲に広がって、前記第１センサ部に連続する操作面となる第２センサ部とからなることを特徴とする。
【０００６】
本発明に係る座標入力装置は、操作面が凸曲面状又は凹曲面状或いは多面体状とされていることで、操作面上を摺動される手指を通じて使用者は、手指の移動方向や移動量を把握することができるので、より細かな座標入力を容易に行うことが可能となり、優れた使用感を得ることができる座標入力装置とされている。
また、平面的に手指が動くことによる平面方向への移動感覚に加えて、凸曲面に沿って手指を移動させることによる曲面の高さ方向への変位感覚を同時に知覚することができる。従って、使用者は、従来の平面形状のタッチパッドを使用するよりも座標入力操作の感覚を手指を通じて敏感に感じとることができる。例えば、カーソルの移動量や移動方向を、平面方向に加えて高さ方向にも知覚することで、操作面に接触している手指の位置を容易に把握することができ、使用者は手指の移動方向及び移動量とカーソルの移動方向及び移動量との対応関係を一致させやすくなり、より細かなカーソルの制御が可能になり、これにより、座標入力装置の使用感を大きく向上させることができ、その結果コンピュータの使用感も向上させることができる。
【０００７】
本発明に係る座標入力装置は、前記座標入力手段として、誘電体層と、該誘電体層を挟持して積層され、配列形成された複数の電極を有する２層の電極層とを備える凸曲面状又は凹曲面状又は多面体状の静電容量式のセンサ基板が備えられたことを特徴とする。
【０００８】
すなわち、本構成の座標入力装置は、静電容量式の座標入力装置の操作面を凸曲面状又は凹曲面状又は多面体状に形成し、その上面で手指等の操作体を摺動させて座標入力を行うようにしたものである。これにより、操作面上を摺動される手指を通じて使用者は、手指の移動方向や移動量を把握することができるので、より細かな座標入力を容易に行うことが可能となり、優れた使用感を得ることができる。すなわち、換言するならば、本発明に係る座標入力装置は、回転ボール装置と同等の使用感と、静電容量式の座標入力装置の省スペース性を兼ね備えた座標入力装置である。
【０００９】
また、本発明に係る座標入力装置においては、前記センサ基板が２枚の基板を積層して形成され、それら２枚の基板は、それらの中央部に凸曲面部あるいは凹曲面部または多面体部を有し、それらの周辺部に平面状の部分を有してなり、前記各センサ基板に平面視平行なストライプ状の電極が複数形成され、それらの基板どうしが絶縁状態で重ねられて各電極が交差する方向に延在されてなることを特徴とする構成でも良い。このような構成とした場合にも、上記の座標入力装置と同様の効果を得ることができる。
【００１０】
本発明に係る座標入力装置は、操作面で操作体を摺動させることにより、操作体による押圧力とその摺動方向とを検知して座標入力を行う座標入力手段を備えた座標入力装置であって、前記座標入力手段が、検知センサ部と、該検知センサ部上に配設された操作部とを備え、該操作部の上部が凸曲面状又は凹曲面状又は多面体状に形成され、前記操作部への押圧力を前記検知センサ部により検知し、前記押圧力に応じた検知信号を出力する座標入力手段とされたことを特徴とする構成とすることもできる。
【００１１】
本構成の座標入力装置は、座標入力手段として、操作部の押圧力を検知センサ部により検知する方式を採用したものである。このような構成とした場合にも、上述の静電容量式の座標入力装置と同様に、回転ボール装置と同等の使用感が得られるとともに、回転ボール装置のように、重量が大きいボールを用いることがないので、搭載される電子機器の軽量化に寄与し得るものである。
【００１３】
次に、本発明に係る電子機器は、先のいずれかに記載の座標入力装置を備えたことを特徴とする。係る構成によれば、座標入力を行うための操作部として、使用者が快適に座標入力を行うことができ、使用感に優れる本発明の座標入力を備えたことで、操作性に優れた電子機器を提供することができる。
【００１４】
【発明の実施の形態】
以下、本発明の実施の形態を図面を参照して説明するが、本発明は以下の実施の形態に限定されるものではない。
【００１５】
（第１の実施形態）
図１は、本発明の第１の実施形態である座標入力装置の断面構造を示す図であり、この図に示す座標入力装置は、基部１０上に設けられた凸曲面部１１Ａを備えるカバー部材１１と、このカバー部材１１の凸曲面状の凸曲面部１１Ａの裏面側（基部１０側）に設けられた、前記凸曲面部１１Ａに沿う形状を有するセンサ基板１２とを備えて構成されている。
【００１６】
センサ基板１２は、図２に示すように、上側基板１４と下側基板１５とを積層して形成されており、上側基板１４の上面側（下側基板１５と反対側）には、複数の線状の電極１６ａが平面視で互いに平行にストライプ状に形成された電極層１６が設けられており、下側基板１５の上面側には、前記電極１６ａと交差する方向に延在する複数の電極１７ａが平面視で互いに平行にストライプ状に形成された電極層１７が設けられている。また、少なくとも上側基板１４は、誘電体材料からなり、前記電極層１６と電極層１７とを絶縁するようになっている。
また、下側基板１７の一辺端部から延設された基板上には、これら電極層１６，１７を駆動、制御するための制御回路１８が設けられており、図示は省略したが、この制御回路１８と電極１６ａ及び電極１７ａは、配線により互いに電気的に接続されている。
【００１７】
前記上側基板１４及び下側基板１５の中央部には、それぞれ図示上方へ湾曲された凸曲面部１４Ａ及び凸曲面部１５Ａが形成されており、上側基板１４と下側基板１５が積層されてセンサ基板１２を構成した場合に、図１に示すカバー部材１１の凸曲面部１１Ａの裏面側と当接される形状とされている。このセンサ基板１２の凸曲面状の形状は、上述のように基板１４，１５のそれぞれに形成してもよいし、平面形状の上側基板と下側基板を積層した後に、加圧成形などの手段により凸曲面部を設けてもよい。また、この形態では凸曲面部１４Ａ，１５Ａを凸曲面としたが、凸曲面に限らず、例えば正２０面体の上半分をカットした多面体状としてもよい。
【００１８】
上記構成の座標入力装置は、カバー部材１１の凸曲面部１１Ａの図示上面が操作面とされており、この操作面を手指などの操作体Ａにより摺動させることによる電極層１６，１７間の静電容量の変化を検知信号として出力するようになっている。
本発明に係る座標入力装置においては、操作面とされた凸曲面部１１Ａの表面に手指を摺動させて座標入力を行うため、図１４に示す従来の平板状のタッチパッド２０５よりも、摺動時の使用者の手指への摺動抵抗が大きくなる。すなわち、平面的に手指が動くことによる平面方向への移動感覚に加えて、凸曲面に沿って手指を移動させることによる曲面の高さ方向への変位感覚を同時に知覚することができる。従って、使用者は、従来の平面形状のタッチパッドを使用するよりも座標入力操作の感覚を手指を通じて敏感に感じとることができる。
さらに詳細には、例えば上記座標入力装置をコンピュータのカーソル移動用途に用いた場合には、従来のタッチパッド２０５では、平面上で手指を移動させるのみであり、カーソルの移動に応じた感触はほとんど手指に伝わることがなく、また伝わったとしても平面方向の移動感覚のみであり、手指の感覚を元に微細なカーソルの移動方向や移動量の制御を行うことは極めて困難であったが、本発明に係る座標入力装置によれば、凸曲面状の操作面で手指を摺動させるため、カーソルの移動量や移動方向を、平面方向に加えて高さ方向にも知覚することで、操作面に接触している手指の位置を容易に把握することができる。従って、使用者は手指の移動方向及び移動量とカーソルの移動方向及び移動量との対応関係を一致させやすくなり、より細かなカーソルの制御が可能になり、これにより、座標入力装置の使用感を大きく向上させることができ、その結果コンピュータの使用感も向上させることができる。
【００１９】
また、本実施形態の座標入力装置においては、例えばカーソル移動等でカーソル位置の微調整を行う場合など、非常に小さい移動距離の座標入力を行う場合に、より操作を行いやすくなっている。これは、操作面が凸曲面状に形成されていることで、微小な距離の移動を行う場合であっても、使用者の手指は操作面の形状に沿って移動され、これにより、使用者は操作面上で手指を移動させた距離を手指の感覚で容易に感知することができるので、微小な位置調整を手指の感覚を元に行うことができるからである。
【００２０】
本実施形態の座標入力装置は、操作面が凸曲面状とされ、その上面で手指を摺動させて座標入力を行うので、回転ボール装置（トラックボール装置）に近い使用感を得ることができるが、本実施形態の座標入力装置によれば、回転ボール装置のように比較的大型で、重量のあるボールを用いることがなく、しかもボールの半径分若しくはそれ以下の高さでよいので、搭載される電子機器の薄型化、及び小型化を実現することができる。
【００２１】
図１及び図２には、凸曲面状の操作面を備えた座標入力装置を示したが、本発明に係る座標入力装置は、凹曲面状の操作面を備えて構成されていてもよい。図３は、凹曲面状に形成された操作面を備えた本発明に係る座標入力装置の断面構成図であり、この図に示す座標入力装置では、カバー部材２１に凹部２１Ａが形成されており、この凹部２１Ａの裏面側に沿ってセンサ基板２２が配設されている。そして、前記凹部２１Ａの上面側が、座標入力のための操作面とされている。この図に示すカバー部材２１及びセンサ基板２２は、操作面を構成する凹部２１Ａの形状以外は、図１に示すカバー部材１１及びセンサ基板１２と同等の構成であり、その動作や機能も同等であるので、ここでは詳細な説明は省略する。
【００２２】
図３に示す座標入力装置を用いた場合も、図１に示す座標入力装置と同様に、操作面が平面形状ではなく、凹曲面状に形成されていることで、座標入力のために操作面上で手指等の操作体Ａを摺動させた際に、使用者は平面方向の移動感覚とともに、曲面部の高さ方向の変位感覚を知覚することができるので、操作体Ａを摺動する感触を得やすくなっている。従って、図３に示す座標入力装置場合にも、使用者は手指の移動方向及び移動量とカーソルの移動方向及び移動量との対応関係を一致させやすくなり、より細かなカーソルの制御が可能になるので、優れた使用感を得ることができる。
このように、本実施形態に係る座標入力装置は、回転ボール装置と同等の使用感を得ることができるとともに、従来回転ボール装置の課題とされていた薄型化や軽量化の問題を解決し得るものである。
【００２３】
以上、図１〜図３により本発明を静電容量式の座標入力装置に適用した場合について説明したが、本発明は、摺動させるための操作面を備えた座標入力装置であれば問題なく適用することができ、例えば、スペーサを挟持して対向する一対の基板の内面側にそれぞれ電極層が形成されており、前記基板を手指等の操作体で押圧することにより電極層どうしを接触させて座標の検知を行う接触式の座標入力装置に適用することもできるのは勿論である。また、本発明に係る操作体としては、手指に限定されず、座標入力装置の操作面上で摺動させ得るものであれば問題なく適用することができ、例えばペン型の操作体なども用いることができる。
【００２４】
（第２の実施形態）
次に、第２の形態について、図４〜図６を参照して説明する。図４は、第２の形態である座標入力装置の断面構成図であり、図５は、第２の形態の他の例を示す断面構成図であり、図６は、図４に示す座標入力装置の斜視構成図である。
【００２５】
図４及び図６に示す座標入力装置は、基部３０上に設けられた検知センサ部３２と、この検知センサ部３２上に立設されたレバー操作部３３とを備えて構成されており、レバー操作部３３は、基台３３ａと、この基台３３ａの上端部に被着された略半球型の操作部材３３ｂとから構成されている。そして、この座標入力装置は、筐体３５内に収納されるとともに、前記操作部材３３ｂの上面側が、筐体３５に形成された貫通孔３６を通じて外部に露出されている。
【００２６】
また、図６に示すように、検知センサ部３２には、基台３３ａの底面の中心が配置される位置を中心として、四方に等間隔で４つの歪みゲージ３４が配列形成されており、これらの歪みゲージ３４は、図示しない配線により出力端子３７に電気的に接続されている。そして、これら歪みゲージ３４上に、基台３３ａの四面に形成された脚部３３ｃがそれぞれ配置されるようになっている。
【００２７】
上記構成の本形態の座標入力装置では、操作部材３３ｂの上面が操作面とされ、この操作面上で手指等の操作体を摺動させることにより、操作部材３３ｂに与えられた押圧力により検知センサ部３２に形成された歪みゲージ３４が変形され、その変形量に応じた２次元の出力信号が、出力端子３７を介して出力されるようになっている。そして、この出力信号に基づいて座標入力処理が行われるようになっている。
【００２８】
本形態の座標入力装置も、上記第１の実施形態の座標入力装置と同様に、操作面を有する操作部材３３ｂが上方に凸なる凸曲面状とされていることで、使用者は、この操作面上で手指を摺動させて座標入力を行う際に、平面方向の移動感覚のみならず、曲面形状の高さ方向への変位感覚も知覚することができ、手指を通じて操作面上での手指の移動距離を容易に把握することができる。従って、使用者は手指の移動方向及び移動量とカーソルの移動方向及び移動量との対応関係を一致させやすくなり、より細かなカーソルの制御を行うことができる。
【００２９】
一方、図５に示す座標入力装置は、基部４０上に設けられた検知センサ部４２と、この検知センサ部４２上に配置された半球型の操作部４３とを備えて構成されており、この座標入力装置は、筐体４５内に収納されるとともに、筐体４５に設けられた貫通孔４６を介して前記操作部４３が、筐体４５の外部に露出されている。また、図示を省略したが、検知センサ部４２には、図６に示す検知センサ部３２と同等の４つの歪みゲージが、図６と同様に四方に等間隔で配列され、これらの歪みゲージを覆うように操作部４３の底面が配置されるようになっている。
図５に示す座標入力装置が、図４に示すものと異なる点は、半球型の操作部４３の底面で検知センサ部４２の歪みゲージが押圧される構造となっている点であり、その動作原理や、使用方法は図４に示す座標入力装置と同様である。従って、図５に示す本実施形態の座標入力装置も、図４に示うものと同様に優れた使用感の得られる座標入力装置である。
【００３０】
図４〜６には、凸曲面状の操作面を備えた座標入力装置を示したが、座標入力装置は、凹曲面状の操作面を備えて構成されていてもよい。図７及び図８は、凹曲面状に形成された操作面を備えた座標入力装置の断面構成図である。図７及び図８において、符号５０，６０は基部、５２，６２は検知センサ部、５３，６３は操作部、５３ａは基台、５３ｂは操作部材、５５，６５は筐体、５６，６６は、筐体５５，６５に形成された貫通孔を示している。これらの図に示す座標入力装置は、操作部５３，６３の形状以外は、図４及び図５に示す座標入力装置と同等の構成であるので、その構成の詳細な説明はここでは省略する。
図７，８に示す座標入力装置の特徴的な点は、操作部材５３ａ及び操作部６３の図示上面側が凹曲面状に形成され、この面が操作面とされている点にある。このような形状とされていることで、図４又は図５に示す座標入力装置と同様に、座標入力のために操作面上で手指を摺動させた際に、平面方向の移動感覚とともに、曲面形状の高さ方向への変位感覚を知覚することができ、手指を摺動する感触を得やすくなっている。従って、図７，８に示す座標入力装置を用いた場合にも、使用者は手指の移動方向及び移動量とカーソルの移動方向及び移動量との対応関係を一致させやすくなり、より細かなカーソルの制御が可能になるので、優れた使用感を得ることができる。
【００３１】
（電子機器）
以下、本発明に係る電子機器の実施形態について図面を参照して説明するが、本発明に係る座標入力装置の適用範囲は、以下の電子機器に限定されるものではない。以下に示す電子機器には、上記いずれかの実施形態の座標入力装置が搭載されている。
【００３２】
＜ゲーム機用コントローラ＞
図９は、本発明に係る座標入力装置をゲーム機用コントローラに適用した例を示す斜視構成図であり、この図に示すゲーム機用コントローラ７０は、移動方向の入力などの座標入力を行うための座標入力部７３と、複数の押しボタンスイッチ７２とが筐体７４上に配置されて構成され、筐体７４とゲーム機（図示せず）とを接続するための接続コード７５が筐体７４に接続されている。
図９に示すコントローラ７０は、その座標入力部７３に、本発明に係る座標入力装置を備えており、この座標入力部７３上で手指を摺動させることにより、ゲーム機の操作を行うようになっている。このような構成のコントローラ７０は、使用感に優れる上記本発明の座標入力装置をその座標入力部７３に備えたことで、座標入力を快適に行うことができる。
【００３３】
＜携帯電話機＞
図１０は、本発明に係る座標入力装置を携帯電話機に適用した例を示す斜視構成図であり、この図に示す携帯電話機８０は、筐体８１の一面側に、表示部８２と、この表示部８２の手前側に配置された座標入力部８３と、座標入力部８３の手前側に配列された複数の操作ボタン８４とを備えて構成されている。この携帯電話機８０は座標入力部８３に本発明の座標入力装置を備えている。
このような構成の携帯電話機８０によれば、座標入力部８３上で手指を摺動させることにより、表示部８２に表示されたオブジェクトの選択や、機能の決定といった動作を快適に行うことができる。
【００３４】
＜携帯情報端末＞
図１１は、本発明に係る座標入力装置を携帯情報端末に適用した例を示す平面構成図であり、この図に示す携帯情報端末９０は、筐体９１上に表示部９２と、表示部９２の手前側中央部に設けられた座標入力部９３と、複数の操作ボタン９４とを備えて構成されている。この携帯情報端末９０の座標入力部９３には、本発明の座標入力装置が備えられている。
このような構成の携帯情報端末９０によれば、座標入力部９３上で手指を摺動させることにより、表示部９２に表示されたオブジェクトの選択や決定などの動作を快適に行うことができる。
【００３５】
＜ノート型パーソナルコンピュータ＞
図１２は、本発明に係る座標入力装置をノート型パーソナルコンピュータに適用した例を示す斜視構成図であり、この図に示すノート型パーソナルコンピュータ１００は、本体部１０１と、この本体部１０１の奥側端部にヒンジを介して接続された表示部１０２とを備えて概略構成されている。本体部１０１上に、キーボード装置１０３と、このキーボード装置１０３の手前側に設けられた座標入力部１０５と、この座標入力部０１５の手前側に設けられた複数の押しボタンスイッチ１０６とが備えられている。そして、前記座標入力部１０５には、本発明に係る座標入力装置が備えられている。
このような構成のコンピュータ１００によれば、座標入力部１０５に本発明に係る座標入力装置が備えられていることで、表示部１０２に表示されたカーソルの移動や、オブジェクトの選択動作を快適に行うことができ、回転ボール装置を搭載した従来のコンピュータと同等の操作感を得ることができるとともに、回転ボール装置を搭載したコンピュータに比して薄型化、軽量化を実現することができる。
【００３６】
＜リモートコントローラ＞
図１３は、本発明に係る座標入力装置をリモートコントローラに適用した例を示す斜視構成図であり、この図に示すリモートコントローラ１１０は、筐体１１１の先端部に設けられた赤外線照射部１１６と、筐体１１１上に設けられた座標入力部１１５と、複数の操作ボタン１１３とを備えて構成されており、前記座標入力部１１５には、本発明に係る座標入力装置が備えられている。
このような構成のリモートコントローラ１１０は、例えばテレビやビデオ、あるいはカーナビゲーションシステムのリモートコントローラとして好適に使用することができ、これらの電子機器の表示部に表示された機能の選択などの操作を快適に行うことができる。
【００３７】
【発明の効果】
以上、詳細に説明したように、本発明に係る座標入力装置は、静電容量式のセンサ基板上で操作体を摺動させることにより座標入力を行う座標入力装置であって、前記操作体で摺動させて座標入力を行うために、凸曲面状又は凹曲面状又は多面体状に形成された操作面を有する構成とされたことで、操作面上を摺動される手指を通じて使用者は、平面方向の移動感覚とともに、曲面形状の高さ方向への変位感覚を知覚することができ、これにより容易に手指の移動方向や移動量を把握することができるので、より細かな座標入力を容易に行うことが可能となり、優れた使用感を得ることができる。すなわち、本発明に係る座標入力装置は、回転ボール装置と同等の使用感と、静電容量式の座標入力装置の省スペース性を兼ね備えた座標入力装置である。
また、平面的に手指が動くことによる平面方向への移動感覚に加えて、凸曲面に沿って手指を移動させることによる曲面の高さ方向への変位感覚を同時に知覚することができる。従って、使用者は、従来の平面形状のタッチパッドを使用するよりも座標入力操作の感覚を手指を通じて敏感に感じとることができる。例えば、カーソルの移動量や移動方向を、平面方向に加えて高さ方向にも知覚することで、操作面に接触している手指の位置を容易に把握することができ、使用者は手指の移動方向及び移動量とカーソルの移動方向及び移動量との対応関係を一致させやすくなり、より細かなカーソルの制御が可能になり、これにより、座標入力装置の使用感を大きく向上させることができ、その結果コンピュータの使用感も向上させることができる。
【００３８】
次に、本発明に係る電子機器は、座標入力を行うための操作部として、使用者が快適に座標入力を行うことができ、使用感に優れる本発明の座標入力を備えたことで、操作性に優れた電子機器を提供することができる。
【図面の簡単な説明】
【図１】  図１は、本発明の第１の実施形態である座標入力装置の断面構成図である。
【図２】  図２は、図１に示すセンサ基板１２を分解して示す斜視構成図である。
【図３】  図３は、本発明の第１の実施形態の他の例を示す断面構成図である。
【図４】  図４は、本発明の第２の実施形態である座標入力装置の断面構成図である。
【図５】  図５は、本発明の第２の実施形態の他の例を示す断面構成図である。
【図６】  図６は、図４に示す座標入力装置の斜視構成図である。
【図７】  図７は、本発明の第２の実施形態の他の例を示す断面構成図である。
【図８】  図８は、本発明の第２の実施形態の他の例を示す断面構成図である。
【図９】  図９は、本発明に係る電子機器の例であるゲーム機用コントローラを示す図である。
【図１０】  図１０は、本発明に係る電子機器の例である携帯電話機を示す図である。
【図１１】  本発明に係る電子機器の例である携帯情報端末を示す図である。
【図１２】  図１２は、本発明に係る電子機器の例であるノート型パーソナルコンピュータを示す図である。
【図１３】  図１３は、本発明に係る電子機器の例であるリモートコントローラを示す図である。
【図１４】  図１４は、座標入力装置の一例であるタッチパッドを備えたノート型パーソナルコンピュータの一例を示す斜視構成図である。
【符号の説明】
１０  基部
１１，２１  カバー部材
１２，２２  センサ基板
１４  上側基板（誘電体層）
１５  下側基板
１６，１７  電極層
１６ａ，１７ａ  電極
３０，４０  基部
３２，４２  検知センサ部
３３  操作部
３３ａ  基台
３３ｂ  操作部材
４３  操作部
３４  歪みゲージ
【図１】
0003971907.tif 000002
【図２】
0003971907.tif 000003
【図３】
0003971907.tif 000004
【図４】
0003971907.tif 000005
【図５】
0003971907.tif 000006
【図６】
0003971907.tif 000007
【図７】
0003971907.tif 000008
【図８】
0003971907.tif 000009
【図９】
0003971907.tif 000010
【図１０】
0003971907.tif 000011
【図１１】
0003971907.tif 000012
【図１２】
0003971907.tif 000013
【図１３】
0003971907.tif 000014
【図１４】
0003971907.tif 000015